(57)【要約】 【課題】  発電装置の運転による騒音を低減して、排気および排熱することができる作業車両を提供する。【解決手段】  荷箱５に搭載される発電装置６の内燃機関２５から発生する燃焼ガスを燃焼ガス誘導管２０によって前壁１０から外部へ導いて放出し、内燃機関２５から発生する昇温ガスを昇温ガス誘導管２１によって前壁１０から外部へ導いて放出し、昇温ガス誘導管２１に燃焼ガス誘導管２０を挿通することによって、荷箱５内で高温の燃焼ガス誘導管からの放熱を遮断して荷箱５内の環境を良好に保ち、内燃機関２５の運転音が外部へ直接開放されないようにして、騒音を抑制する。【選択図】      図１
2008184923.tif 000002
【特許請求の範囲】
【請求項１】
車両本体の荷台に設置された荷箱内に、内燃機関によって発電機を駆動する発電装置が搭載され、前記発電装置から発生する排気を、前記発電装置から荷箱の外部へ導いて排出する排気誘導手段が設けられることを特徴とする作業車両。
【請求項２】
前記排気誘導手段は、前記内燃機関の燃焼ガスを前記荷箱の外部へ導く燃焼ガス誘導管と、前記内燃機関によって加熱された昇温ガスを前記荷箱の外部へ導く昇温ガス誘導管とを含むことを特徴とする請求項１記載の作業車両。
【請求項３】
前記燃焼ガス誘導管は、積載機器から荷箱にわたって前記昇温ガス誘導管内に挿通されていることを特徴とする請求項２記載の車両の作業車両。
【請求項４】
前記荷箱は、車両の前進方向に臨む前壁と、前壁の右側縁部から後方に連なる右側壁と、前壁の左側縁部から後方に連なる左側壁とを有し、
前記昇温ガス誘導管の一端部は、前記発電装置に接続され、前記昇温ガス誘導管の他端部は前記前壁に接続され、
前記前壁における前記昇温ガス誘導管の他端部が接続される部位には、前記昇温ガス誘導管に連通する透孔が形成され、
この透孔は、前壁から前方に突出しかつ下方に開放したカバー体によって覆われていることを特徴とする請求項２または３記載の作業車両。
【発明の詳細な説明】
【技術分野】
【０００１】
本発明は、内燃機関を動力源とする発電装置を搭載した作業車両に関し、さらに詳しくは、発電装置の内燃機関の運転によって発生する燃焼ガスおよび昇温ガスなどの排気ガスを車外へ排出するための構造に関する。
【背景技術】
【０００２】
典型的な従来技術は、たとえば特許文献１に記載されている。この従来技術では、ラジエータを通過した空気は、その排気通路を塞ぐようにマフラが設けられているため、発電装置が収容される発電装置パッケージ内の空間の換気は、ラジエータユニットの排風によって押し込まれ、ラジエータユニットの排風が干渉を受けずに排出されるとともに、マフラの冷却および発電装置パッケージ内の換気が抑制されることを防止するために、作業車両であるトラックに、内燃機関と発電装置とが搭載され、内燃機関から生じた高温の排ガスがダクトを通ってマフラへ導かれ、排気口から外部へ排出される。また、ラジエータユニットに設けられるファンによって外気が吸引口から吸引され、内燃機関の内部で熱せられた水を循環させて、ラジエータによって冷却し、ラジエータを通過した空気は、隔壁の下方の排風部へ導かれた後、隔壁の通風口を介して、マフラが設けられる空間へ導かれ、排気口から外部へ排出している。
【０００３】
このような従来技術において、前記ラジエータユニットの排風が干渉を受けずに排出され、マフラの冷却および発電装置パッケージ内の換気が抑制されることを防止するために、ラジエータユニットの排風部上に隔壁を設け、この隔壁上にマフラを設置している。この隔壁には、ラジエータユニットの排風がマフラの冷却およびダクトの換気を助長するように、通風口が設けられる。
【０００４】
発電装置で生じた熱は、水を媒体としてラジエータユニットによって冷却し、一方では吸気口から吸気した冷風をパッケージ内に導き、ダクトを介して排出する。マフラの表面からの発熱は、ラジエータユニットの排風によって隔壁の通気口を介して外部へ排出され、このようにして発電装置に動力源として設けられる内燃機関の燃焼ガスおよび昇温ガスを車外へ排出している。
【０００５】
【特許文献１】実開昭５６−８６８５４号公報
【発明の開示】
【発明が解決しようとする課題】
【０００６】
前記従来技術では、隔壁の下方にラジエータユニットを通過した排風が導かれる排風部が設けられ、隔壁に通風口が設けられ、隔壁上にマフラが設けられ、マフラの熱をラジエータユニットから前記通風口を介して導かれた排風によって回収し、熱回収後の排風を排気口から車外へ排出するように構成されている。
【０００７】
このような構成では、内燃機関の運転音は、ダクトを経て、前記マフラが収容される空間に導かれ、排気口から外部へ放出されるとともに、ラジエータユニットの送風音は、排風部および隔壁の通風口を介して前記マフラが設けられる空間へ導かれ、排気口から車外へ排出されるので、前記内燃機関の運転音およびラジエータユニットの送風音が外部へ放出され、外部へ大きな騒音を生じるという問題がある。
【０００８】
本発明の目的は、発電装置の運転による騒音を低減して、排気および排熱することができる作業車両を提供することである。
【課題を解決するための手段】
【０００９】
本発明は、車両本体の荷台に設置された荷箱内に、内燃機関によって発電機を駆動する発電装置が搭載され、前記発電装置から発生する排気を、前記発電装置から荷箱の外部へ導いて排出する排気誘導手段が設けられることを特徴とする作業車両である。
【００１０】
本発明に従えば、作業車両の荷箱には、内燃機関によって発電機を駆動する発電装置が搭載され、現場へ移動して各種の作業機械を稼動するための電力を供給することができる。荷箱内に搭載された発電装置は、内燃機関によって発電機を駆動するように構成されるため、発電装置を運転すると、内燃機関から燃焼ガスおよび昇温ガスが発生する。これらの燃焼ガスおよび昇温ガスなどの排気は、排気誘導手段によって発電装置から荷箱の外部へ導かれるので、荷箱内の空気が燃焼ガスによって汚損されることが防がれるとともに、昇温ガスによって荷箱内の空気が加熱されて高温となることが防がれ、荷箱内の環境雰囲気の低下が防止される。
【００１１】
このように発電装置を運転しても荷箱内の環境が低下しないので、発電装置を荷箱内に搭載したままで運転することができ、現場での発電装置の荷箱への揚げ降ろし作業が不要となり、発電装置の揚げ降ろしのための労力および時間を削減して、作業効率を向上することができる。また、発電装置の排気が排気誘導手段によって荷箱の外部へ導かれるので、発電装置を運転する際に、換気のために荷箱に設けられる扉を開放したままにする必要がないので、発電装置の運転音が荷箱によって遮断され、外部への運転音の放出が防がれ、騒音が抑制される。
【００１２】
また本発明は、前記排気誘導手段は、前記内燃機関の燃焼ガスを前記荷箱の外部へ導く燃焼ガス誘導管と、前記内燃機関によって加熱された昇温ガスを前記荷箱の外部へ導く昇温ガス誘導管とを含むことを特徴とする。
【００１３】
本発明に従えば、内燃機関の燃焼ガスは燃焼ガス誘導管によって、また内燃機関によって加熱された昇温ガスは昇温ガス誘導管によって、前記荷箱の外部へそれぞれ導くように構成されるので、黒鉛などの粒子状物質（Particulate Matter；略称ＰＭ）、窒素酸化物（略称ＮＯｘ）および未燃物質などの環境汚損物質を含有する燃焼ガスと、内燃機関の発熱によって周囲の空気が加熱された昇温ガスとが、混合することなしに、個別に分離して、荷箱から外部へ放出される。
【００１４】
これによって、燃焼ガスの一部が発電装置の前記昇温ガスの排出口から内部へ浸入し、燃焼ガスに含まれる粒子状物質が発電機およびその他の機器に付着し、発電機およびその他の機器を汚損してしまうことが防がれ、これによる発電装置の故障の発生を回避することができる。また、燃焼ガスおよび昇温ガスを、前記燃焼ガス誘導管および昇温ガス誘導管によって個別に排出することによって、燃焼ガス誘導管および昇温ガス誘導管を、燃焼ガスおよび昇温ガスの各性状、すなわちガスの温度、流量および成分などに適した材質および構造を個別に選択して、各ガス成分に対して耐性の高い管路を実現することが可能となり、ガス漏洩のない確実な排気の排出を長期に達成することができる。
【００１５】
さらに本発明は、前記燃焼ガス誘導管は、積載機器から荷箱にわたって前記昇温ガス誘導管内に挿通されていることを特徴とする。
【００１６】
本発明に従えば、昇温ガス誘導管内に燃焼ガス誘導管が挿通されるので、荷箱内に前記燃焼ガス誘導管を配設するための空間を必要とせず、荷箱内の排気誘導手段による占有空間を少なくすることができる。
【００１７】
さらに本発明は、前記荷箱は、車両の前進方向に臨む前壁と、前壁の右側縁部から後方に連なる右側壁と、前壁の左側縁部から後方に連なる左側壁とを有し、
前記昇温ガス誘導管の一端部は、前記発電装置に接続され、前記昇温ガス誘導管の他端部は前記前壁に接続され、
前記前壁における前記昇温ガス誘導管の他端部が接続される部位には、前記昇温ガス誘導管に連通する透孔が形成され、
この透孔は、前壁から前方に突出しかつ下方に開放したカバー体によって覆われていることを特徴とする。
【００１８】
本発明に従えば、発電装置において発生した昇温ガスは、昇温ガス誘導管の一端部から他端部へ導かれ、荷箱の前壁に形成された透孔を介して外部へ放出される。カバー体は前壁から前方で前記透孔を覆い、かつ下方に開放しているので、前記透孔から放出された昇温ガスは、前壁とカバー体との間で下方に開放した空間を介して排出される。カバー体が下方に開放した状態で透孔を覆うように構成されるので、上方および前方から昇温ガス誘導管内に風雨および異物などの浸入を防ぐことができる。また、前壁に前記カバー体が設けられるので、透孔および昇温ガス誘導管の他端部の開口から排出する昇温ガスに車両走行時の気流または風圧が直接作用して、昇温ガスの排出が妨げられることが防がれ、円滑に昇温ガスを排出することができる。
【発明の効果】
【００１９】
本発明によれば、作業車両の荷箱に排気誘導手段が設けられることによって、発電装置から生じる燃焼ガスが荷箱の外部へ排出され、荷箱内の空気が内燃機関の燃焼ガスによって汚損されることが防がれるとともに、昇温ガスによって温度上昇することを抑制することができ、荷箱内の環境を良好に維持することができる。
【００２０】
また本発明によれば、燃焼ガス誘導管と昇温ガス誘導管とによって、内燃機関の燃焼室から排出される燃焼ガスと、内燃機関の発熱によって昇温された昇温ガスとを、荷箱の外部へ個別に排出することができるので、発電装置の燃焼ガスの混入による故障の発生を防止し、燃焼ガス誘導管および昇温ガス誘導管の劣化を抑制し、信頼性の高い発電装置からの排気の排出を実現することができる。
【００２１】
さらに本発明によれば、昇温ガス誘導管内に燃焼ガス誘導管が挿通されることによって、前記燃焼ガス誘導管を荷箱内に配設するための空間が不要であり、荷箱内で排気誘導手段によって占有される空間を少なくして、各種の機器および機材を積載するためなどに利用することができる有効利用空間の減少を抑制することができる。
【００２２】
さらに本発明によれば、荷箱の前壁に透孔を形成して昇温ガス誘導管の他端部が接続し、透孔がカバー体によって覆われるので、昇温ガス誘導管内への風雨および異物の浸入を防ぎ、前記透孔を介して排出される昇温ガスへの前方からの気流または風圧の作用を少なくして、昇温ガスの円滑な排出を実現することができる。
【発明を実施するための最良の形態】
【００２３】
図１は本発明の一実施形態の作業車両１を示す一部の断面図であり、図２は排気誘導手段２の拡大断面図である。本実施形態の作業車両１は、車両本体３の荷台４に設置された荷箱５内に、内燃機関によって発電機を駆動する発電装置６が搭載され、前記発電装置６から発生する排気を、前記発電装置６から荷箱５の外部へ導いて排出する排気誘導手段２が設けられる。
【００２４】
前記荷箱５は、作業車両１の前進方向Ａに臨む前壁１０と、前壁１０の右側縁部から後方に連なる右側壁１１と、前壁１０の左側縁部から後方に連なる左側壁１２と、右側壁１１の後方右側縁部および左側壁１２の後方左側縁部に連なって後方に臨む後壁１３（後述の図３参照）と、前壁１０、右側壁１１、左側壁１２および後壁１３の各上縁部に連なる天壁１４と、前壁１０、右側壁１１、左側壁１２および後壁１３の各下縁部に連なる床１５とを有する。
【００２５】
前記前壁１０、右側壁１１、左側壁１２および後壁１３は、ほぼ水平な底１５に対して垂直に立ち上がり、右側壁１１および左側壁１２は前壁１０に対して直角に連なり、後壁１３は前壁１０に平行であり、天壁１４は底１５に平行である。これらの前壁１０、右側壁１１、左側壁１２および後壁１３は、ジュラルミンおよびアルミニウム合金などの軽量金属から成る外板の内面に、化粧合板が内張りされたパネルによって実現される。また底１５は、圧縮合板から成り、車両本体３の荷台４にボルトおよびナットなどによって固定され、この底１５上に前記前壁１０に近接して、前記発電装置６が搭載されている。
【００２６】
前記排気誘導手段２は、前記内燃機関２５の燃焼ガスを前記荷箱５の外部へ導く燃焼ガス誘導管２０と、前記内燃機関２５によって加熱された昇温ガスを前記荷箱５の外部へ導く昇温ガス誘導管２１とを含む。
【００２７】
前記発電装置６は、中空の大略的に直方体状のハウジング２３と、ハウジング２３内に収容される発電機２４と、ハウジング２３内に収容され、発電機２４を駆動する内燃機関２５とを有する。前記発電機２４は、たとえばブラシレス回転界磁同期発電機によって実現される。また前記内燃機関２５は、たとえば４サイクル水冷ディーゼルエンジンによって実現される。
【００２８】
前記発電装置６の一側部には、操作盤２６、燃料レベルゲージ２７および取手２８が設けられる。また発電装置６の上部には、中央に燃料給油口２９および吊下げ用フック部材３０が設けられ、前記上部の長手方向一端部寄りに排気口３１、排風口３２およびラジエータ給水口３３が設けられる。さらに発電装置６の正面部には、扉３４、吸気口３５、燃料ドレーン３６、冷却水ドレーン３７およびエンジンオイルドレーン３８が設けられる。
【００２９】
前記排気口３１には前記内燃機関２５から燃焼ガスが導かれ、前記排風口３２には前記内燃機関２５のラジエータを通過して冷却水との熱交換によって熱回収した昇温ガスが導かれる。
【００３０】
前記燃焼ガス誘導管２０は、発電装置６の排気口３１から荷箱５の前壁１０の上部付近にわたって前記昇温ガス誘導管２１内に挿通される。前記昇温ガス誘導管２１の一端部は、前記発電装置６の排風口３２に接続され、前記昇温ガス誘導管２１の他端部は前記前壁１０の内面に設けられる直方体状のダクト４０に接続される。
【００３１】
前記前壁１０における前記昇温ガス誘導管２１の他端部が接続される部位、すなわち前記ダクト４０が固定位置には、前記ダクト４０内の空間４１を介して昇温ガス誘導管２１に連通する透孔４２が形成され、この透孔４２は、前壁１０から前進方向Ａに突出しかつ下方に開放したカバー体４３によって覆われる。
【００３２】
前記燃焼ガス誘導管２０は、前述したように燃焼ガス誘導管２１内をほぼ同軸に挿通して、ダクト４０内を経て前壁１０から突出し、前記カバー体４３内で水平方向に直角に屈曲して、前記カバー体４３から側方に突出する。
【００３３】
このような燃焼ガス誘導管２０は、前記排気口３１からダクト４０内まで一直線に延びる第１誘導管２０ａと、第１誘導管２０ａの上端部に接続され、直角に屈曲した曲管から成る第２誘導管２０ｂと、ダクト４０内で第２誘導管２０ｂに一端部が接続され、前壁１０の前記透孔４２を挿通して前壁１０から外部へ突出する一直線状の第３誘導管２０ｃと、カバー体４３内で第３誘導管２０ｃの他端部に接続され、直角に屈曲した曲管から成る第４誘導管２０ｄと、カバー体４３内で一端部が接続され、他端部がカバー体４３から一側方に突出して一直線に延びる第５誘導管２０ｅとを有する。
【００３４】
これらの第１〜第５誘導管２０ａ〜２０ｅは、ニッケル・クロム合金などの耐熱合金から成り、外径３４ｍｍ、厚さ３．２ｍｍの鋼管によって実現される。また、前記昇温ガス誘導管２１は、たとえばアルミニウム合金から成り、外径３００ｍｍの蛇腹管によって実現される。このような蛇腹管を用いることによって、大きな放熱面積を確保することができ、ダクト４０および前壁１０への伝熱量を少なくすることができ、ダクト４０および前壁１０が加熱されることが防がれる。
【００３５】
前記燃焼ガス誘導管２０が鋼管から成るので、燃焼ガス誘導管２０と高温の排ガスとの接触による腐食に対して耐久性を向上することができる。
【００３６】
また、このような燃焼ガス誘導管２０は、前記昇温ガス誘導管２１内に間隔をあけて挿入されるので、高温の排気ガスによって加熱された燃焼ガス誘導管２０から放射される熱を、昇温ガス誘導管２１と燃焼ガス誘導管２０との間を通過する昇温ガスによって回収し、断熱することができる。これによって荷箱５内の空気に燃焼ガス誘導管２０の熱が伝達して荷箱５内の空気が加熱されることが防がれ、発電装置６の運転によって荷箱５内の雰囲気温度が上昇して作業環境が低下することが防がれる。
【００３７】
前記ダクト４０は、大略的に中空の直方体状であって、たとえばアルミニウム合金から成り、天板４０ａ、底板４０ｂ、第１〜第４側板４０ｃ〜４０ｆを有する。天板４０ａは、昇温ガス誘導管２１から放出される昇温ガスとの接触によって加熱されるため、荷箱５の天壁１４の下方に僅な間隔ΔＬをあけて近接して配置され、天壁１４との間に空隙４６を介在させて天板４０ａが天壁１４に接触しないようにし、ダクト４０によって天壁１４が加熱されることを防止している。前記間隔ΔＬは、たとえば３０ｍｍ〜１００ｍｍに選ばれる。
【００３８】
前記天板４０ａの４つの周縁部には、第１〜第４側板４０ｃ〜４０ｆの各上端部が直角に連なり、第１〜第４側板４０ｃ〜４０ｆの下端部には前記底板４０ｂの４つの周縁部が直角に連なる。この底板４０ｂと前記天板４０ａとは平行であり、相互に対向する第１側板４０ｃと第３側板４０ｅとは平行であり、第２側板４０ｄと第４側板４０ｆとは平行である。
【００３９】
前記底板４０ｂには、円形のガス流入孔４６が形成され、ガス流入孔４６の周縁部に、前記昇温ガス誘導管２１の一端部が気密に接続され、昇温ガス誘導管２１内を上昇してきた昇温ガスが前記ガス流入孔４６を介してダクト４０内の空間４１に流入する。
【００４０】
前記第３側板４０ｅは、透孔４２を覆うようにして前壁１０にブラケット４７によって固定される。ブラケット４７は、たとえばＬ形鋼から成り、ウエブが複数のビス４８によって前壁１０の前記透孔４２に臨む周縁部に固定され、透孔４２から面内方向に突出するフランジには、複数のビス４９によって前記第３側板４０ｅが固定される。第３側板４０ｅには、ガス流出孔５０が形成され、このガス流出孔５０の周縁部が前記ブラケット４７のフランジに複数のビス４９によって固定される。昇温ガス誘導管２１からダクト４０内の空間４１に流入した昇温ガスは、前記ガス流出孔５０から流出し、透孔４２を経てカバー体４３内へ導かれ、カバー体４３の開口から下方へ排出される。
【００４１】
ブラケッ４７には、Ｕ字状の保持金具５１の両端部がナット５２によって固定される。保持金具５１の両端部には、前記ナット５２が螺着される外ねじが刻設され、燃焼ガス誘導管２０の第３誘導管２０ｅが挿入された状態で各ナット５２を締め付け、第３誘導管２０ｅが透孔４２およびガス流出孔５０のほぼ中心軸線上に位置決めされ、ブラケット４７に締結される。
【００４２】
前記カバー体４３は、天井部４３ａ、前板部４３ｂ、一対の側板部４３ｃ，４３ｄおよび３つの内折れ部４３ｅ，４３ｆ，４３ｇを有する。天井部４３ａは、前記透孔４２よりも上方に近接して前壁１０から前進方向Ａにほぼ水平に突出し、前壁１０から前進方向Ａに最も離れた遊端部に連なって前記前板部４３ｂが形成される。前板部４３ｂは、下方になるにつれて前進方向Ａに傾斜し、下端部と前壁１０との間に前記開口を形成している。
【００４３】
前記天井部４３ａの一側部には、一方の側板部４３ｃが下方に直角に連なり、天井部４３ａの他側部には、他方の側板部４３ｄが下方に直角に連なる。これらの側板部４３ｃ，４３ｄは平行であり、各側板部４３ｃ，４３ｄ間でかつ前壁１０と前板部４３ｂとの間には、前記開口を介して大気に開放した排気空間５３が形成され、この排気空間５３に前記ダクト４０から昇温ガスが排出され、大気に放散される。また、第５誘導管２０ｅは、他方の側板部４３ｄに形成される孔を貫通して突出し、燃焼ガスを右側壁１１よりも外側方へ排出し、右側壁１１の排煙に含まれるカーボンなどの粒子状物質（略称ＰＭ）の付着による汚損を防止している。
【００４４】
このようなカバー体４３は、各内折れ部４３ｅ，４３ｆ，４３ｇが前記透孔４２を外囲するように配置され、各内折れ部４３ｅ，４３ｆ，４３ｇが前壁１０に複数のビス５４によって固定され、透孔４２内への風雨および塵埃などの浸入を防止している。
【００４５】
図３はガス誘導カバー６０の構成を示す断面図である。前記燃焼ガス誘導管２０および昇温ガス誘導管２１の前記発電装置６側に配置される各一端部は、ガス誘導カバー６０によって排気口３１および排風口３２に個別に接続される。
【００４６】
ガス誘導カバー６０は、ハウジング２３に排気口３１および排風口３２を外囲するようにして気密に着脱可能に設けられ、断面が逆凹状のカバー本体６１と、カバー本体６１に一体的に形成され、燃焼ガス誘導管２０の一端部が接続される直円筒状の第１管継手６２と、カバー本体６１内で一対角線に沿って中心軸線から周縁部にわたって延びる中空箱状の燃焼ガス案内体６３と、燃焼ガス案内体６３に前記中心軸線上で一体的に形成され、昇温ガス誘導管２１の一端部が接続される第２管継手６４とを有する。前記燃焼ガス案内体６３は、カバー本体６１の内面に、たとえば溶接によって固定されている。
【００４７】
発電装置６内に収容される内燃機関２５から延びる排気管６６は、ハウジング２３に設けられる前記排気口３１に接続され、排気管６６から排出される燃焼ガスは、排気口３１から燃焼ガス案内体６３内に導かれ、第２管継手６４を経て燃焼ガス誘導管２０に導かれる。燃焼ガス誘導管２０および昇温ガス誘導管２１の各一端部は、各管継手６４，６２に同軸に接続され、相互に半径線方向に間隔をあけて離間している。
【００４８】
内燃機関２５のラジエータを通過して加熱された昇温ガスは、ハウジング２３の排風口３２から排出され、カバー本体６１から第１管継手６２を経て、昇温ガス誘導管２１に導かれる。
【００４９】
このようなガス誘導カバー６０は、耐熱性、耐腐食性および耐候性の高い材料、たとえばステンレス鋼板から成る。
【００５０】
図４は作業車両１の側面図であり、図５は作業車両１の平面図である。作業車両１は、荷箱５に前述の発電装置６とタイヤ交換機７０とを搭載したロードサービスカーであって、夜間に民家が隣接する現場へ移動して、故障車両のタイヤ交換などの作業を行なうために用いられる。
【００５１】
作業車両１の荷箱５には、内燃機関２５によって発電機２４を駆動する発電装置６が搭載され、現場へ移動して前述のタイヤチェンジャ７０などの各種の作業機械を稼動するための電力を供給することができる。荷箱５内に搭載された発電装置６は、内燃機関２５によって発電機２４を駆動するように構成されるため、発電装置６を運転すると、内燃機関２５から燃焼ガスおよび昇温ガスが発生する。これらの燃焼ガスおよび昇温ガスなどの排気は、排気誘導手段２によって発電装置６から荷箱５の外部へ導かれるので、荷箱５内の空気が燃焼ガスによって汚損されることが防がれるとともに、昇温ガスによって荷箱５内の空気が加熱されて高温となることが防がれ、荷箱５内の環境雰囲気の低下が防止される。
【００５２】
このように発電装置６を運転しても荷箱５内の環境が低下しないので、発電装置６を荷箱５内に搭載したままで運転することができ、現場での発電装置６の荷箱５への揚げ降ろし作業が不要となり、発電装置６の揚げ降ろしのための労力および時間を削減して、作業効率を向上することができる。また、発電装置６の排気が排気誘導手段２によって荷箱５の外部へ導かれるので、発電装置６を運転する際に、換気のために荷箱５に設けられる扉を開放したままにする必要がないので、発電装置６の運転音が荷箱５によって遮断され、外部への運転音の放出が防がれ、騒音が抑制される。
【００５３】
内燃機関２５の燃焼ガスは燃焼ガス誘導管２０によって、また内燃機関２５によって加熱された昇温ガスは昇温ガス誘導管２１によって、前記荷箱５の外部へそれぞれ導くように構成されるので、黒鉛などの粒子状物質（Particulate Matter；略称ＰＭ）、窒素酸化物（略称ＮＯｘ）および未燃物質などの環境汚損物質を含有する燃焼ガスと、内燃機関２５の発熱によって加熱された昇温ガスとが、混合することなしに、個別に分離して、荷箱５から外部へ放出される。
【００５４】
これによって、燃焼ガスの一部が発電装置６の前記昇温ガスの排出口から内部へ浸入し、燃焼ガスに含まれる粒子状物質が発電機２４およびその他の機器に付着し、発電機２４およびその他の機器を汚損してしまうことが防がれ、これによる発電装置６の故障の発生を回避することができる。
【００５５】
また、燃焼ガスおよび昇温ガスが燃焼ガス誘導管２０および昇温ガス誘導管２１によって個別に排出されるので、燃焼ガス誘導管２０および昇温ガス誘導管２１を、燃焼ガスおよび昇温ガスの各性状、すなわちガスの温度、流量および成分などに適した材質および構造を個別に選択して、各ガス成分に対して耐性の高い管路を実現することが可能となり、ガス漏洩のない確実な排気の排出を長期に達成することができる。
【００５６】
さらに、昇温ガス誘導管２１内に燃焼ガス誘導管２０が間隔をあけて挿通されるので、荷箱５内に前記燃焼ガス誘導管２０を配設するための空間を必要とせず、荷箱５内の排気誘導手段２による占有空間を少なくすることができる。
【００５７】
さらに、下方に開放したカバー体４３によって透孔４２を覆うように構成されるので、上方および前方から昇温ガス誘導管２１内への風雨および異物などの浸入を防ぐことができる。また、前壁に前記カバー体４３が設けられるので、透孔４２および昇温ガス誘導管２１の他端部の開口から排出する昇温ガスに車両走行時の気流または風圧が直接作用して、昇温ガスの排出が妨げられることが防がれ、円滑に昇温ガスを排出することができる。
【図面の簡単な説明】
【００５８】
【図１】本発明の一実施形態の作業車両１を示す一部の断面図である。
【図２】排気誘導手段２の拡大断面図である。
【図３】ガス誘導カバー６０の構成を示す断面図である。
【図４】作業車両１の側面図である。
【図５】作業車両１の平面図である。
【符号の説明】
【００５９】
１  作業車両
２  排気誘導手段
３  車両本体
４  荷台
５  荷箱
６  発電装置
１０  前壁
１１  右側壁
１２  左側
１３  後壁
１４  天壁
１５  床
２０  燃焼ガス誘導管
２１  昇温ガス誘導管
２３  ハウジング
２４  発電機
２５  内燃機関
２６  操作盤
３１  排気口
３２  排風口
４０  ダクト
４１  ダクト４０内の空間
４２  透孔
４３  カバー体
４６  ガス流入孔
４７  ブラケット
５０  ガス流出孔
５１  保持金具
５３  排気空間
６０  ガス誘導カバー
６１  カバー本体
６２  第１管継手
６３  燃焼ガス案内体
６４  第２管継手
Ａ  前進方向
【図１】
2008184923.tif 000003
【図２】
2008184923.tif 000004
【図３】
2008184923.tif 000005
【図４】
2008184923.tif 000006
【図５】
2008184923.tif 000007